(57)【特許請求の範囲】
【請求項１】
殊に自動車の自動伝動装置のための切換弁又は圧力制御弁である電磁弁であって、磁石可動子（３２）を介して弁部材（３１）と協働している磁石コイル（２２）をコイル本体（２３）と共に受容するための磁石ケーシング（１０）と、磁石ケーシング（１０）に固定された弁接続部材（３７）とを備えており、また磁石コイル（２２）を制御するための電気的な接続部（４５）が、磁石ケーシング（１０）の外方に配置され、かつ磁石ケーシングを貫いて延びる供給部（４６）を介し磁石コイル（２２）に接続されている形式のものにおいて、磁石ケーシング（１０）が、少くとも第１磁石外套部材（１１）と、該部材（１１）によって少くとも部分的に覆われている第２磁石外套部材（１２）とから成り、少くとも一方の磁石外套部材（１１，１２）が該磁石外套部材の外周部に切欠き（４７，４８）を有し、該切欠き（４７，４８）を貫通し電気的な接続部（４５）に向かって供給部（４６）が突き出ていることを特徴とする電磁弁。
【請求項２】
第１磁石外套部材（１１）が該磁石外套部材の外周部に第１切欠き（４７）を有し、かつ第２磁石外套部材（１２）が該磁石外套部材の外周部に第２切欠き（４８）を有し、前記両磁石外套部材（１１，１２）が相互に内方に差し込まれていて、前記両切欠き（４７，４８）で、電気的な接続部へ向かう供給部（４６）を取り囲んでいることを特徴とする、請求項１記載の電磁弁。
【請求項３】
磁石外套部材（１１，１２）が円筒状に形成されており、かつ切欠き（４７，４８）が夫々の磁石外套部材の外周部に形成されて端面側で開放されていることを特徴とする、請求項１又は２記載の電磁弁。
【請求項４】
両磁石外套部材（１１，１２）が夫々１つの切欠き（４７，４８）を有していることを特徴とする、請求項１から３までのいづれか１項記載の電磁弁。
【請求項５】
電気的な接続部（４５）が押圧接触部として形成されており、その接触方向が弁接続部材（３７）の接続方向に一致していることを特徴とする、請求項１から４までのいづれか１項記載の電磁弁。
【請求項６】
磁石外套部材（１１，１２）がプラスチック部体（４４）内に埋め込まれていることを特徴とする、請求項１から５までのいづれか１項記載の電磁弁。
【請求項７】
第１磁石外套部材（１１）が第１開口（２０）を有し、かつ第２磁石外套部材（１２）が第２開口（２０，２１）を有し、前記第１開口（２０）と前記第２開口（２１）とが、第２磁石外套部材を第１磁石外套部材内に組み込んだ状態で相互に整合していることを特徴とする、請求項１から６までのいづれか１項記載の電磁弁。
【請求項８】
少くとも１つの電磁外套部材（１１，１２）が深絞り構造部材として形成されていることを特徴とする、請求項１から７までのいづれか１項記載の電磁弁。
【請求項９】
弁接続部材（３７）が縁曲げ結合によって磁石外套部材（１１，１２）に結合されていることを特徴とする、請求項１から８までのいづれか１項記載の電磁弁。
【発明の詳細な説明】
【０００１】
【産業上の利用分野】
本発明は請求項１の上位概念に基く、殊に自動車の自動伝動装置のための切換弁又は圧力制御弁である電磁弁であって、磁石可動子を介して弁部材と協働している磁石コイルをコイル本体と共に受容するための磁石ケーシングと、磁石ケーシングに固定された弁接続部材とを備えており、また磁石コイルを制御するための電気的な接続部が、磁石ケーシングの外方に配置され、かつ磁石ケーシングを貫いて延びる供給部を介し磁石コイルに接続されている形式のものに関する。
【０００２】
【従来の技術】
この種の電磁弁は、例えばドイツ国実用新案第９０１７１０７号明細書によって公知である。この種の電磁弁の場合、磁石ケーシングの内方に配置された電磁石コイルを制御するため接続接触部が設けられており、該接続接触部は電磁石ケーシングを貫通する供給部を介して電磁石コイルに接続されている。電磁弁の電気接続部への装着は、少くとも弁接続部分の反対側に位置する電磁石ケーシングの背面側において行われるか又はその外周部において行われる。電磁石ケーシングの端面に電気接続部を配置するには多くの装着ステップが必要であるため、製作技術的に比較的大きな経費が必要である。更に電気接触部のこの種の端面配置は、総ての使用例に対して重要であるという訳ではない。また電気接続部の外周面への配置も、従来の電磁弁にあっては多額の製作経費が必要である。更に従来の電磁弁の場合供給部の領域における磁石ケーシングが、磁石ケーシング乃至磁石外套の造形によって大量生産のために重要な装備を実現しようとすると、極端に弱体化してしまう。
【０００３】
【発明が解決しようとする課題】
本発明の課題は上述の欠点を除去することにある。
【０００４】
【課題を解決するための手段】
本発明では、磁石ケーシングが、少くとも第１磁石外套部材と、該部材を少くとも部分的に覆っている第２磁石外套部材とから成り、少くとも一方の磁石外套部材が切欠きを有し、該切欠きを貫通し電気的な接続部に向かって供給部が突き出ていることによって、上記課題を解決することができた。
【０００５】
【発明の効果】
請求項１に記載の特徴を備えた本発明の電磁弁、特に自動車の自動伝動装置のための切換弁又は圧力制御弁は、電気的な接触、つまり磁石コイルと電気接続部との接続が極めて簡単でありかつ組立ステップの数が極めて少なくて宜い。更に本発明の磁石ケーシングの構造によって電気接続を行う領域においても大きな磁気的な鉄横断面が保証可能である。また供給部の領域における磁石ケーシングの弱体化も減少する。磁石外套部材の円筒形の構成によって磁石ケーシングは、特に簡単な形式で製造乃至仕上げが可能である。それは両方の個々の部材が容易に相互に内方に押し込められうるからである。このため個々の部材に対しより大きな磁気横断面が形成され、かつ端面で開放された切込みの構成によって、電気接続部乃至磁石コイルへの供給部を内方押込みの際に取り囲むことができる。
【０００６】
本発明の特に有利な構成によれば、両磁石部材には切込部が設けられている。これによって両磁石外套部材の極めて大きなカバー領域が保証されるようになり、そのためにより大きな磁気横断面が保証されるようになる。
【０００７】
特に電気接続部が押圧接触部として形成されてその接触方向が弁接続部材の接続方向に一致している場合には、組込位置における電磁弁の組込工程が簡素化される。それは、１つの作業ステップで流体的かつ電気的な結合が達成可能であるからである。
【０００８】
また磁石ケーシング乃至磁石外套部材が例えば射出プラスチックから成るプラスチック体内に埋め込まれている場合は特に有利である。これによって製作技術的に簡単な形式で磁石室をシールすることができる。更に弁接続部材に対する電気接続部の極めて正確な配設が保証される。それは、この距離乃至この空間的な配設が成形工程乃至はプラスチック体内への埋込みによって保証されうるからである。更に磁石ケーシングをプラスチック体内に埋め込む場合には、電気接続部を取囲み又は支持する突起又はリブも一緒に１体成形することができる。磁石ケーシング部材のプラスチック外套部によって該部材は、鋲又は溶接のような高価で経費の嵩む結合プロセスを経ることなしに、相互に不動かつ確実に結合されうる。磁石ケーシング乃至磁石コイルを埋め込むことによって、電磁弁の運転中に発生する熱を良好に放出することができる。つまり電磁弁内では高い出力密度が可能である。
【０００９】
更に磁石外套部材が透し孔を有し、該透し孔によって少くとも幾つかの部材が組み込まれた状態で覆われるようになっている場合は特に有利である。プラスチック体内に埋め込むことによって透し孔もプラスチック材料で詰め替えられる。このため電磁弁の運転中両方の個別部分の位置変更が全く行われないようになる。また場合によっては発生するプラスチックの熱膨張も個別部分の位置変更を惹き起すようなことはない。
【００１０】
また磁石外套部材が深絞り構造部材として製造されている場合は、特に有利で価格的に廉値である。
【００１１】
本発明のその他の利点及び有利な構成要件については次の実施例の説明の中に述べられている。
【００１２】
【実施例】
次に本発明の実施例を図面に基いて詳しく説明する。
【００１３】
図１には圧力制御弁として構成された電磁弁が図示されており、その磁石ケーシング１０は、主として２つの磁石外套部材１１及び１２と１つの磁束案内リング１３とから成っている。第１の磁石外套部材１１はほぼコップ状に形成されていて、その底部１４には嵌め込まれたカラー状の開口１５が設けられている。第２の磁石外套部材１２はほぼスリーブ状に形成されていて、異なった直径の２つの円筒区分１６及び１７から成っており、該区分１６，１７の間に段部１８が形成されている。小さい直径の円筒区分１７は、第１磁石外套部材１１の内方に突入してその内方側部に当接している。同時に第２磁石外套部材１２の段部１８が第１磁石外套部材１１の自由端面に当接している。第１磁石外套部材１１及び第２磁石外套部材１２は、その互いに覆っている領域内に貫通する孔２０乃至２１を有し、該孔２０，２１は組み込まれた状態では相互に整合し、それらの内第１磁石外套部材１１の方の孔２０が若干大きな直径を有している。
【００１４】
磁石ケーシング１０の内方には磁石コイル２２がコイル本体２３と共に挿入されている。磁石コイル２２及びそのコイル本体２３が中空円筒状の磁石コア２４を取り囲み、該磁石コア２４は、一方では底部１４の開口１１を貫通して突出し、他方では段部１８の領域まで突出している。磁石コア２４内には、長手方向孔２６によって貫通されている調節ねじ２５が挿入されている。底部１４の領域における調節ねじ２５乃至磁石コア２４の端面は、射出保護カバー２７によって覆われている。
【００１５】
磁石コア２４の内方にはばね２９が挿入されており、その一方の端面は調節ねじ２５に支持され、かつその他方の端面は弁突き棒３１の下方側部３０に当接している。この弁突き棒３１は、ディスク状の磁石可動子３２を貫いて該可動子３２に結合されている。磁石可動子３２は磁束案内リング１３の内方に挿入されている。このため弁突き棒３１乃至磁石可動子３２の端面には夫々１つのディスク状のダイヤフラムばね３３乃至３４が当接している。その夫々の外周部によってダイヤフラムばね３３及び３４は、磁束案内リング１３の端面に当接している。図面で右側のダイヤフラムばね３４は、第２磁石外套部材１２の円筒区分１６の内方において段部１８に当接しているリング３５に当接している。図面で左側のダイヤフラムばね３３は、弁接続部材３７のフランジ状の縁部３６を貫通して磁束案内リング１３に押圧されている。弁接続部材３７のフランジ状の縁部３６は、第２磁石外套部材１２の円筒区分１６の内方に挿入され、かつ自由縁部３８の縁曲げ部によって磁石外套１０に不動に結合されている。
【００１６】
弁接続部材３７は段付きの長手方向孔４０によって貫通されており、該孔４０には偏平な弁座４１が形成されている。この弁座４１には弁突き棒３１の自由端面４２がばね２９の作用に基いて当接している。弁座４１とフランジ状縁部３６との間で長手方向孔４０は、横方向孔３９によって貫通されている。
【００１７】
磁石可動子３２を受容している磁石案内リング１３の内室は、弁接続部材３７乃至長手方向孔４０に対しシールダイヤフラム４３によってシールされており、該シールダイヤフラム４３は、一方で弁突き棒３１を取り囲みかつ他方で弁接続部材３７のフランジ状の縁部３６と磁束案内リング１３との間で挟着されている。
【００１８】
磁石外套１０、つまり第１磁石外套部材１１及び円筒区分１６と、第２磁石外套部材１２の段部１８と、コイル２２と、そのコイル体２３と、磁石コア２４とは、射出成形プラスチックから成るプラスチック部体４４内に埋め込まれている。磁石コイル２２は制御のために、磁石ケーシング１０の外方に位置する電気接続部４５に、磁石ケーシング１０を貫通する供給部４６を介して結合されている。供給部４６は、コイル本体２３のプラスチック材料に接続されていて、両磁石外套部材１１及び１２によって取り囲まれている。このため第１磁石外套部材１１は、その外周面に平面図でみてほぼ方形の、その自由端面から出発している切込部４７を有している。第２磁石外套部材１２は、段部１８と小さい直径のシリンダ区分１７との領域に同じ様に切欠き４８を有し、該切欠き４８はシリンダ区分１７の自由端面から出発している。両磁石外套部材１１乃至１２内で片側に開放された両切欠き４７乃至４８は、組み立てられた状態では供給部４６及びコイル本体２３の取囲み区分を包含し乃至は取り囲んでいる。
【００１９】
電気接続部４５は、接触ピン５０に移行するアーチ形の、ばね付勢された区分４９を有している。接触ピン５０及びアーチ状区分４９は押圧接触部として設計されている。つまり電気接続部４５の接触方向が弁接続部材３７の方向に一致している。従って電磁弁を夫々の使用個所に挿入する際には、流体的な接続と電気的な接続とが同時に達成される。アーチ状区分４９のばね作用によって、対応接触部に対する充分に高い接触力が保証される。電気接続部４５の接触の際に発生する力乃至変形を受け止めることができるようにするため、プラスチック部体４４に電気接続部のための支持部材５１が１体成形されている。
【００２０】
電磁弁を組み立てるには先づ、両磁石外套部分１１及び１２を相互に内方に差し込み、該部分１１，１２が磁石コイル２２を受容しかつ供給部４６の領域を切欠き４７及び４８で取り囲むようにする。続いて磁石外套部材１１及び１２と、磁石コイル２２と、磁石コア２４とを、射出成形型内に挿入してプラスチック部体４４を射出する。このように形成された磁石ケーシングにおいて第２磁石外套部材１２の円筒区分１６の領域に、リング３５と、ダイヤフラムばね３３及び３４を備えた磁束案内リング１３と、ダイヤフラムばねに固定された磁石可動子３２と、弁突き棒３１とを挿入し、それによってリング３５と磁束案内リング１３とが段部１８で支持されうるようにする。これに続いて弁接続部材３７のフランジ状の縁部３６を円筒区分１６内に挿入して、磁束案内リング１３とリング３５とが段部１８に対して押圧されうるようにし、同時にシールダイヤフラム４３を挟着せしめる。円筒区分１６の自由縁部３８を縁曲げすることによって不動の結合が達成される。
【００２１】
引続いて磁石コア２４の内方にばね２９を挿入して、該ばね２９を弁突き棒に当接せしめかつ調節ねじ２５によって緊締する。最後に夫々の要求に応じて調節された調節ねじ２５を射出保護カバー２７によって閉じ込める。
【００２２】
両磁石外套部材１１，１２の前述の構成によって外周部にスリットがあっても大きな磁気的な横断面が形成される。それは、比較的小さな切欠きだけが必要であって、２重壁によって厚肉の横断面が実現されているからである。磁石外套部と弁接続部材との結合領域においては外周の領域にスリットが全く不必要であり、そのために高い強度と縁曲げ個所のシール性とが保証されている。
【図面の簡単な説明】
【図１】比例圧力制御弁として形成された本発明の電磁弁の縦断面図である。
【図２】磁石外套部材１１の断面図である。
【図３】磁石外套部材１２の断面図である。
【符号の説明】
１０    磁石ケーシング
１１，１２    磁石外套部材
１３    磁束案内リング
１４    底部
１５    開口
１６，１７    円筒区分
１８    段部
２０，２１    孔
２２    磁石コイル
２３    コイル本体
２４    磁石コア
２５    調節ねじ
２６    長手方向孔
２７    射出保護カバー
２９    ばね
３０    下方側部
３１    弁突き棒
３２    磁石可動子
３３，３４    ダイヤフラムばね
３５    リング
３６    縁部
３７    弁接続部材
３８    縁部
３９    横方向孔
４０    長手方向孔
４１    弁座
４２    端面
４３    シールダイヤフラム
４４    プラスチック部体
４５    接続部
４６    供給部
４７    切込部
４８    切欠き
４９    区分
５０    接触ピン
５１    支持部材
【図１】
0003592370.tif 000002
【図２】
0003592370.tif 000003
【図３】
0003592370.tif 000004